(57)【要約】【課題】簡単な構造で少ないスペースに配置でき、確実に血液の凝固に関する検査をすることができ、血液検体を封入する容器としてのカプセルの安全性を含む取り扱い性を高めて血液が漏れることのない血液凝固の検査用カプセル及びこれを用いた検査方法を提供する。【解決手段】本発明に係る血液凝固の検査用カプセル１は、液状の血液検体が導入されるべき収容室２と、該収容室２を覆う外殻３と、該外殻３に形成され、前記収容室２から前記血液検体が外部に漏洩しないように前記外殻３の密閉性を高めるための漏洩防止部４とを備え、前記外殻３は、少なくとも一方向への転がり方向を有し、該転がり方向に対して垂直方向から視た断面が円形状である。【選択図】        図１
2016080691.tif 000002
【特許請求の範囲】
【請求項１】
液状の血液検体が導入されるべき収容室と、
該収容室を覆う外殻と、
該外殻に形成され、前記収容室から前記血液検体が外部に漏洩しないように前記外殻の密閉性を高めるための漏洩防止部とを備え、
前記外殻は、少なくとも一方向への転がり方向を有し、該転がり方向に対して垂直方向から視た断面が円形状であることを特徴とする血液凝固の検査用カプセル。
【請求項２】
前記外殻は、互いに接合される第１及び第２の分割体で形成されていて、
前記漏洩防止部は、前記第１及び第２の分割体の接合部位に配設されていることを特徴とする請求項１に記載の血液凝固の検査用カプセル。
【請求項３】
前記漏洩防止部は、前記接合部位を前記収容室から前記外殻の外側に向けて延びる隙間が少なくとも１回屈曲するように前記第１及び第２の分割体に形成された第１及び第２の係止片からなることを特徴とする請求項２に記載の血液凝固の検査用カプセル。
【請求項４】
前記第１及び第２の係止片は、対向する前記第１及び第２の分割体のそれぞれに向けて延びて互いに摺接し、
前記漏洩防止部は、前記第１の係止片に形成された凸部及び前記第２の係止片に形成されて前記凸部に嵌合される凹部をさらに含むことを特徴とする請求項３に記載の血液凝固の検査用カプセル。
【請求項５】
前記第１の係止片は、前記第１の分割体の前記接合部位の全周に亘って連続又は断続的に突出する嵌合突起として形成され、
前記第２の係止片は、前記第１の係止片を受け入れ可能な嵌合穴として前記第２の分割体の前記接合部位の全周に亘って形成され、
前記嵌合突起が前記嵌合穴に嵌め込まれることで互いに接合することを特徴とする請求項３に記載の血液凝固の検査用カプセル。
【請求項６】
前記外殻はポリプロピレン製であることを特徴とする請求項１に記載の血液凝固の検査用カプセル。
【請求項７】
前記外殻は同一厚さで形成されていることを特徴とする請求項１に記載の血液凝固の検査用カプセル。
【請求項８】
前記第１の分割体及び前記第２の分割体のいずれか又は両方に前記外殻を貫通して形成された導入孔が備わっていることを特徴とする請求項２に記載の血液凝固の検査用カプセル。
【請求項９】
前記収容室に前記液状の血液検体を導入する血液導入工程と、
前記収容室の密閉性を高めて前記漏洩防止部を形成する密閉工程と、
前記収容室に前記血液検体が収容された状態で前記外殻を前記転がり方向に転がして血液凝固の検査を行う検査工程とを備えたことを特徴とする請求項１に記載の血液凝固の検査用カプセルを用いた検査方法。
【発明の詳細な説明】
【技術分野】
【０００１】
本発明は、血液凝固の検査用カプセル及びこれを用いた検査方法に関するものである。
【背景技術】
【０００２】
従来の臨床分野では、出血のしやすさや止血のしにくさの傾向、すなわち血液凝固に関する評価、あるいは血液凝固の開始時間を調べることを目的とする分析装置が知られている(例えば特許文献１参照)。
【０００３】
しかしながら、特許文献１に代表されるように、既存の血液凝固の検査方法に用いる装置は、精巧かつ高価であり、また大掛かりであるためスペース的にも制約があった。
【０００４】
また、この特許文献１の装置では、血液検体が導入される容器は一方の端部が閉塞された略中空円筒形状であり、特許文献１を参照すればこの容器が密閉されているかどうかは不明である。
【先行技術文献】
【特許文献】
【０００５】
【特許文献１】特開２０１４-１１９３２９号公報
【発明の概要】
【発明が解決しようとする課題】
【０００６】
本発明は、上記従来技術を考慮したものであり、簡単な構造で少ないスペースに配置でき、確実に血液の凝固に関する検査をすることができ、血液検体を封入する容器としてのカプセルの安全性を含む取り扱い性を高めて血液が漏れることのない血液凝固の検査用カプセル及びこれを用いた検査方法を提供することを目的とする。
【課題を解決するための手段】
【０００７】
前記目的を達成するため、本発明では、液状の血液検体が導入されるべき収容室と、該収容室を覆う外殻と、該外殻に形成され、前記収容室から前記血液検体が外部に漏洩しないように前記外殻の密閉性を高めるための漏洩防止部とを備え、前記外殻は、少なくとも一方向への転がり方向を有し、該転がり方向に対して垂直方向から視た断面が円形状であることを特徴とする血液凝固の検査用カプセルを提供する。
【０００８】
好ましくは、前記外殻は、互いに接合される第１及び第２の分割体で形成されていて、前記漏洩防止部は、前記第１及び第２の分割体の接合部位に配設されている。
【０００９】
好ましくは、前記漏洩防止部は、前記接合部位を前記収容室から前記外殻の外側に向けて延びる隙間が少なくとも１回屈曲するように前記第１及び第２の分割体に形成された第１及び第２の係止片からなる。
【００１０】
好ましくは、前記第１及び第２の係止片は、対向する前記第１及び第２の分割体のそれぞれに向けて延びて互いに摺接し、前記漏洩防止部は、前記第１の係止片に形成された凸部及び前記第２の係止片に形成されて前記凸部に嵌合される凹部をさらに含む。
【００１１】
好ましくは、前記第１の係止片は、前記第１の分割体の前記接合部位の全周に亘って連続又は断続的に突出する嵌合突起として形成され、前記第２の係止片は、前記第１の係止片を受け入れ可能な嵌合穴として前記第２の分割体の前記接合部位の全周に亘って形成され、前記嵌合突起が前記嵌合穴に嵌め込まれることで互いに接合する。
【００１２】
好ましくは、前記外殻はポリプロピレン製である。
【００１３】
好ましくは、前記外殻は同一厚さで形成されている。
【００１４】
好ましくは、前記第１の分割体及び前記第２の分割体のいずれか又は両方に前記外殻を貫通して形成された導入孔が備わっている。
【００１５】
また本発明では、前記収容室に前記液状の血液検体を導入する血液導入工程と、前記収容室の密閉性を高めて前記漏洩防止部を形成する密閉工程と、前記収容室に前記血液検体が収容された状態で前記外殻を前記転がり方向に転がして血液凝固の検査を行う検査工程とを備えたことを特徴とする血液凝固の検査方法も提供する。
【発明の効果】
【００１６】
本発明によれば、血液検体を収容する収容室を覆う外殻に漏洩防止部が備わるため、血液凝固の検査中に液状の血液検体が外殻から外部に漏洩することを防止できる。また外殻は少なくとも一方向（真球形状の場合は当該一方向を含む多方向）への転がり方向を有しているので、血液検体が収容室に収容された状態で外殻を転がして血液凝固の検査を行うための容器として用いる際に、血液検体が漏れることを防止することに特に好適である。すなわち、血液検体を封入する容器としての安全性を含む取り扱い性が高まり、血液が漏れることのないカプセルを得ることができる。
【００１７】
また、外殻が互いに接合される第１及び第２の分割体で形成されていたとしても、これら分割体の接合部位に漏洩防止部が配設されることで接合部位から液状の血液検体が漏れることを防止できる。例えば漏洩防止部は、第１及び第２の分割体の接合部位に配されてそれぞれ互いに係止することにより、少なくとも第１及び第２の分割体の間を１回以上屈曲しなければならない隙間を形成するような係止片としてもよい。これにより、収容室に収容された血液検体が外部に漏洩するまでの経路を複雑にすることができ、外殻の密閉性を高めることができるとともに血液検体の漏れを防止できる。
【００１８】
漏洩防止部として、さらに第１及び第２の分割体が有する第１及び第２の係止片に対して凹部及び凸部を設けてもよい。この凹部に凸部が嵌合することで、さらに外殻の密閉性を高めることができ、血液検体の漏れをさらに防止できる。
【００１９】
また第１の係止片を第１の分割体の前記接合部位の全周に亘って連続又は断続的に突出する嵌合突起とし、第２の係止片を第１の係止片を受け入れ可能な嵌合穴として第２の分割体の接合部位の全周に亘って形成してもよい。この嵌合突起を嵌合穴に嵌め込むことで互いに接合する構造としても、少なくとも第１及び第２の分割体の間を１回以上屈曲しなければならない隙間を形成でき、収容室に収容された血液検体が外部に漏洩するまでの経路を複雑にすることができ、外殻の密閉性を高めることができるとともに血液検体の漏れを防止できる。
【００２０】
外殻をポリプロピレン製とすることで、ポリプロピレン表面が血球を含まない血液（血漿）の凝固を惹起しないので、血液の凝固に関連する各種因子の作用による凝固反応について正確に検査することができる。また、外殻を同一厚さとすることで、転がり方向への安定した転がりを実現することができる。
【００２１】
また、第１の分割体及び第２の分割体のいずれか又は両方に外殻を貫通して形成された導入孔を設けることで、ここから血液検体を導入することができる。さらに、検査装置内でカプセル内外に温度差が生じ、血液検体がカプセルから漏れようとしても導入孔からカプセル内の空気が逃がされるので、カプセル内外での圧力差の発生を防止できる。これにより、よりカプセルから血液検体が漏れることを抑制できる。
【００２２】
上記構造を備えたカプセルに血液検体を導入し、カプセルを転がせて血液凝固の検査を行えば、簡単であり少ないスペースで実施でき、確実に血液の凝固に関する検査をすることができる。
【図面の簡単な説明】
【００２３】
【図１】本発明に係る血液凝固の検査用カプセルの概略断面図。
【図２】図１のＡ−Ａ断面図。
【図３】本発明に係る血液凝固の検査方法のフローチャート。
【図４】血液検体が封入されたカプセルの概略図。
【図５】血液凝固の検査装置の概略図。
【図６】カプセルの別の例を示す概略図。
【図７】カプセルのさらに別の例を示す概略図。
【図８】係止片の別の例を示す概略図。
【図９】カプセルに導入孔を形成した例を示す概略図である。
【図１０】カプセルに血液検体を導入する状態を示す概略図である。
【図１１】カプセルの転がり方向を示す概略図である。
【図１２】導入孔の別の例を示す概略図である。
【図１３】導入孔のさらに別の例を示す概略図である。
【図１４】導入孔のさらに別の例を示す概略図である。
【発明を実施するための形態】
【００２４】
図１及び図２に示すように、本発明に係る血液凝固の検査用カプセル１は、略球形状であり、略中央で切断した側から視ると楕円形状を有している。なお、カプセル１は真球形状であってもよい。カプセル１は収容室２とこれを覆う外殻３で形成されている。血液凝固の検査の際、この収容室２に血液検体が導入される。図の例では、外殻３は二つに分割可能であり、第１及び第２の分割体３ａ、３ｂで形成されている。これら第１及び第２の分割体３ａ、３ｂが互いに接合される部分は接合部位５として形成されている。
【００２５】
外殻３、より詳しくは外殻３に含まれる接合部位５には、漏洩防止部４が配設されている。この漏洩防止部４は、外殻３の密閉性を高めるためのものである。すなわち、漏洩防止部４は収容室２から血液検体が外殻３の外部に漏洩しないようにするためのものである。図１の例では、第１及び第２の分割体３ａ、３ｂの接合部位にそれぞれ他方の分割体に向けて突出する第１及び第２の係止片６、７が形成された例を示している。第１の分割体３ａに形成された第１の係止片６と、第２の分割体３ｂに形成された第２の係止片７は接合部位５にて互いに摺接している。換言すれば、第１の分割体３ａは接合部位５で周方向に沿って外側を連続的に切欠くことで第１の係止片６を形成している。逆に、第２の分割体３ｂは接合部位５で周方向に沿って内側を連続的に切欠くことで第２の係止片７を形成している。互いの係止片６、７は対向する分割体３ｂ、３ａに突き当たり、これにより両分割体３ａ、３ｂは接合される。接合部位５をこのような構造として漏洩防止部４とすることで、収容室２から外殻３の外側に向けて伸びる隙間が２回屈曲することになる。これにより、血液の流出ルートが単調ではなくなり、収容室２内の血液検体が接合部位５を介して外殻３の外部に漏洩することを防止できる。なお、隙間は少なくとも１回屈曲させていればどのような構造を採用してもよい。また、第１及び第２の係止片６、７は接合部位５の周方向に亘って断続的に形成してもよい。
【００２６】
さらに図の例では、第１の係止片６に外方に向けて突出する凸部８が形成され、第２の係止片にはこの凸部８が嵌合される凹部９が形成されている。この凸部８及び凹部９は第１及び第２の係止片６、７の周方向に沿って連続して形成されている。このように漏洩防止部４に凸部８及び凹部９を含めることで、収容室２の密閉性が高まり、さらに収容室２からの血液の漏れを防止できる。さらに効果を高めるため、弾性材料からなるＯリングを第１及び第２の係止片６、７の間に配してもよい。なお、凸部８及び凹部９は、第１及び第２の係止片６、７の周方向に沿って断続的に複数個形成してもよいし、一つのみ形成してもよい。あるいは、第１及び第２の係止片６、７の周方向に沿って連続して形成されている凸部８及び凹部９を複数設けてもよい
【００２７】
漏洩防止部４としては、上記の他に、第１及び第２の係止片６、７を互いに螺合するねじ構造としてもよいし、接合部位５の外側を溶接やシール等して塞いでもよい。また、外殻３は分割可能とせず、球状の一体構造として血液導入のための孔を設けてもよい。漏洩防止部４として、この孔を塞ぐシールや接着剤を用いてもよい。本発明では、収容室２から血液検体が漏洩する可能性がある箇所を塞いだり、流出ルートを複雑化させる手段の全てを漏洩防止部４とすることができる。
【００２８】
カプセル１（外殻３）は少なくとも一方向（カプセル１が真球形状の場合は当該一方向を含む多方向）への転がり方向を有している。この転がり方向は、少なくともカプセル１が回転しながら直線方向に進退可能な構造を有することで得ることができる。図の例では、図１の奥手前方向が転がり方向である。よって、図２では左右方向が転がり方向である。転がり方向に対して垂直方向から視た断面（図２）、すなわち転がり方向を真横から視た断面において、外殻３は円形状を有している。このような構造とすることで、カプセル１は転がり方向を有することができる。このようにすれば、血液検体が収容室２に収容された状態で外殻３を転がして血液凝固の検査を行うための容器としてカプセル１を用いることができる。ここで、外殻３を同一厚さで形成すれば、転がり方向へのより安定した転がりを実現できる。以上をまとめると、血液検体を封入する容器として血液凝固の検査で安全性を含み取り扱い性が高く、血液が漏れることのないカプセル１を得ることができる。上述したようにカプセル１を真球形状とした場合は、転がり方向が特定されない（全方向となる）ため操作が簡便となる。
【００２９】
一方で、外殻３はポリプロピレン製である。外殻３をポリプロピレン製とすることで、血液の凝固に関連する各種因子の作用による凝固反応について正確に検査することができる。詳述すると、血液凝固の要因は、赤血球に存在する酵素による凝固因子の活性化であると考えられる。したがって、血液検体から血球を除いて血漿とした場合、凝固は起こらないはずである。ここで例えば外殻３をステンレス製とした場合、血漿も凝固してしまうことが分かっている。しかし血漿、特に無血小板血漿はポリプロピレン製の外殻３内では凝固しない。すなわち血液凝固を測定したい場合には、血漿で凝固が起こらないポリプロピレン製とすることが好適である。このように血球による凝固因子の作用を測定したい凝固検査の場合に、外殻をポリプロピレン製として他の凝固要因を排除している。
【００３０】
上述したカプセル１を用いた血液凝固の検査方法を図３に基づいて説明する。本発明に係る血液凝固の検査方法は、まず血液導入工程を行う(ステップＳ１）。この血液導入工程では、収容室２に液状の血液検体を一定量導入する。この導入は例えばピペットのようなもので入れ込んだり注入したりして行われる。外殻３が第１及び第２の分割体３ａ、３ｂから形成されている場合は、一方の分割体３ａ又は３ｂの内部に血液検体を導入する。
【００３１】
次に、密閉工程を行う(ステップＳ２）。この密閉工程では、収容室２の密閉性を高めるために漏洩防止部４を形成するための操作を行う。具体的には、第１及び第２の分割体３ａ、３ｂを互いに接合する。上述したような第１及び第２の係止片６、７や凸部８、凹部９を備えていれば、第１及び第２の分割体３ａ、３ｂを接合することが収容室２(外殻３)の密閉性を高める操作となる。すなわちこの工程では、漏洩防止部４により外殻３の密閉操作が行われる。このように密閉工程が行われたカプセル１は、図４に示すように、収容室２の一部に血液検体１０が収容され、この血液検体１０は外殻３内に閉じ込められた状態となっている。なお、図４では漏洩防止部４は省略している。
【００３２】
次に、検査工程を行う(ステップＳ３）。この検査工程では、収容室２に血液検体１０が収容された状態で、外殻３(カプセル１)を転がり方向に転がして血液凝固の検査が行われる。この検査工程は、例えば図５に示すような検査装置１１を用いて行われる。カプセル１は検査装置１１に備えられたガイド部材１２にセットされる。図の例では、ガイド部材１２はカプセル１を支持できる程度の開き角度を有する断面Ｖ字形状の長尺部材である。したがって、カプセル１の転がり方向はこのガイド部材１２により規定される。図の例では、転がり方向はガイド部材１２の長手方向である。このガイド部材１２は略中央で支持体１３により支持されている。支持体１３はガイド部材１２の長手方向に対して傾斜角度を変更できるように可動式である。この傾斜角度はステッピングモータ１４からの回転動力が伝達されて調整可能となっている。
【００３３】
ステッピングモータ１４の回転方向を変更することで、支持体１３を介してガイド部材１２の傾斜角度は変更し、ガイド部材１２の端部は矢印Ｒ方向に旋回する。これにより、ガイド部材１２上のカプセル１はガイド部材１２の長手方向に沿って往復する。ガイド部材１２にはカプセル１が近づいたことを検知する近接センサ１５が備わっている。ガイド部材１２上を転がるカプセル１が近づくと、ステッピングモータ１４の回転方向を変更させてガイド部材１２を逆に傾ける。これにより、カプセル１は今までとは反対方向にガイド部材１２上を転がる。これを繰り返し、一定時間間隔で、あるいは設定時間経過後に血液凝固の開始時間、その進行度合いを検査する。これらステッピングモータ１４や支持体１３は板形状の検査台１６上に載置されて配置されている。ガイド部材１２の傾斜角度は検査台１６上に設置されている角度板１７により確認可能である。すなわち、角度板１７にはガイド部材１２の傾きに沿って線が引いてあり、傾斜角度を確認できるようになっている。
【００３４】
なお、カプセル１としては外形寸法がφ２０ｍｍ〜φ３０ｍｍ程度であり、外殻３の厚さは約１ｍｍ〜２ｍｍである。導入される血液検体はおよそ０．５ｍｌ〜１．０ｍｌで足りる。このようにカプセル１が小型であるから、検査装置１１も小型にできる。このため、簡単な構造で少ないスペースで検査を実施でき、確実に血液の凝固に関する検査を行うことができる。
【００３５】
一方で、カプセル１は上述したような略球状に限らず、図６に示すように転がり方向から視て略菱形形状であってもよい。図６の例では略円錐台形状の第１及び第２の分割体３ａ、３ｂの底面同士を突き合わせて接合している。あるいは図７に示すように、転がり方向から視て略矩形形状であってもよい。図７の例では一方の端部が閉塞された中空円筒形状の第１及び第２の分割体３ａ、３ｂの開放された端部同士を突き合わせて接合している。すなわち本発明に係るカプセル１としては、転がり方向を有してガイド部材１２上で往復移動可能な形状であればどのような形状としてもよく、これに血液の漏れ防止となる漏洩防止部４が施されていれば全ての態様において本発明の効果を奏することができる。なお、血液を扱う関係から、カプセル１は使い捨てであることが好ましい。
【００３６】
別の係止片の例を図８に示す。なお図８では、第１の分割体３ａ及び第２の分割体３ｂの接合部位５の周辺のみを示している。第１の係止片６は、第１の分割体３ａの接合部位５の全周に亘って連続又は断続的に突出して形成される。すなわち、第１の係止片６は、第１の分割体３ａの接合部位５の幅方向の略中央部分において第２の分割体３ｂ方向に突出している。第２の係止片７は、第２の分割体３ｂの接合部位５の全周に亘って第１の係止片６を受け入れ可能な嵌合穴１８として形成される。したがって第１の係止片６は第２の係止片７たる嵌合穴に嵌め込まれるため嵌合突起としての役割を有している。嵌合穴１８は嵌合突起が連続したうね形状であればこれをはめ込み可能に連続して形成される。したがって第２の係止片７は第２の分割体３ｂから第１の分割体３ａに向けて二つの突起として形成され、結果として嵌合穴１８を形成している。
【００３７】
これにより、少なくとも第１及び第２の分割体３ａ、３ｂの間を１回以上屈曲しなければならない隙間を形成できる。具体的には４回屈曲しなければならない隙間を形成できる。このため、収容室２に収容された血液検体が外部に漏洩するまでの経路を複雑にすることができ、外殻の密閉性を高めることができるとともに血液検体の漏れを防止できる。
【００３８】
ここで、第１の係止片６はカプセル１の外側に向けて傾いて形成されている。これに応じて、第２の係止片７で形成された嵌合穴１８もカプセル１の外側に向けて傾いて形成されている。このようにすることで、カプセル１の材質によっては、第１及び第２の係止片６、７の弾性を利用してより強固に嵌合させることができる。
【００３９】
血液導入のための孔については、図９に示すように、血液凝固の検査用カプセル１を形成する第１の分割体３ａに導入孔１９を設けてもよい。この導入孔１９は第１の分割体３ａの頂部を貫通して形成されている。この導入孔１９を設けることで、ここから血液検体１０を導入し、収容室２内に血液を充填することができる。この例のカプセル１を用いる場合、血液凝固の検査方法は、密閉工程から行い、次に血液導入工程を行ってもよい。すなわち、まずは第１の分割体３ａと第２の分割体３ｂとを結合させてカプセル１を形成する。そして、血液導入工程にて、図１０に示すように、導入孔１９にピペット２０の先端を差し込み、ここから血液検体１０を導入（注入）する。この際、導入孔１９は鉛直上方を向いた状態で導入される。これにより、血液が溜まる領域に結合部位５が配されないので、血液導入の際にカプセル１から血液が漏れることを抑制しながらの作業を行うことができる。そして検査工程では、接合部位５が接地するような方向を転がり方向として転がす（図１１の矢印方向）。これにより、導入孔１９がカプセル１に対して下側に配されることがなくなるので、検査中でも導入孔１９から血液検体１０が漏洩することを防止できる。
【００４０】
ここで、導入孔１９は上記のように血液を導入する目的のためだけに形成されているのではない。上記では、血液凝固の検査方法を行う際密閉工程から行う例を示したが、血液導入工程から行ってもよい。すなわち、血液導入工程にて第２の分割体３ｂに血液検体１０を充填し、そして密閉工程を行う。そして上記と同様に接合部位５が接地するように転がり方向を設定する。この流れでは、導入孔１９を血液導入のために用いていない。しかしながら導入孔１９があることにより、以下の効果を奏する。血液導入工程にて、血液検体１０を第２の分割体３ｂに充填する際、室温（約２５℃）にて行われる。そして検査工程にて検査をする際、検査装置内は約３７℃である。従ってその温度差によりカプセル１の内外では圧力差が生じ、漏洩防止部４を通過して血液検体１０が外側に漏洩するおそれがある。しかし導入孔１９を形成することでカプセル１の内外での圧力差の発生を防止し、血液検体１０が漏洩しようとする作用を抑止することができる。
【００４１】
また、導入孔１９の形状は円形に限らず、図１２に示すように、複数の丸孔が連続して形成されていてもよい。図１２では半径の異なる２つの丸孔が連続して形成された例を示している。このようにすることで、ピペット２０にて血液を導入する際、別の孔から空気が抜けるため血液検体１０を入れやすくなり好ましい。そして図１３に示すように、導入孔１９は矩形形状であってもよい。このようにしても、ピペット２０と導入孔１９との間に隙間が形成されるので、血液検体１０の導入時に空気が抜けて入れやすくなる。また、このような空気を収容室２から抜かしてピペット２０による血液検体１０の入れやすさの観点からいえば、図１４に示すように、第２の分割体３ｂの頂部にも貫通孔２１を設けてもよい。この場合、血液検体１０を導入する際には対向する導入孔１９及び貫通孔２１が水平方向となるように配し、横方向からピペット２０にて血液検体１０を導入する。
【符号の説明】
【００４２】
１：血液凝固の検査用カプセル、２：収容室、３：外殻、３ａ：第１の分割体、３ｂ：第２の分割体、４：漏洩防止部、５：接合部位、６：第１の係止片（嵌合突起）、７：第２の係止片、８：凸部、９：凹部、１０：血液検体、１１：検査装置、１２：ガイド部材、１３：支持体、１４：ステッピングモータ、１５：近接センサ、１６：検査台、１７：角度板、１８：嵌合穴、１９：導入孔、２０：ピペット、２１：貫通孔
【図１】
2016080691.tif 000003
【図２】
2016080691.tif 000004
【図３】
2016080691.tif 000005
【図４】
2016080691.tif 000006
【図５】
2016080691.tif 000007
【図６】
2016080691.tif 000008
【図７】
2016080691.tif 000009
【図８】
2016080691.tif 000010
【図９】
2016080691.tif 000011
【図１０】
2016080691.tif 000012
【図１１】
2016080691.tif 000013
【図１２】
2016080691.tif 000014
【図１３】
2016080691.tif 000015
【図１４】
2016080691.tif 000016